(57)【要約】【課題】安全且つ信頼性の高いネットオークションを実行可能なオークション実行システムを提供すること。【解決手段】この発明のオークション実行システムは、情報記憶媒体（１５）との間で情報を送受信する送受信部（１１４）を有し、インターネット経由でオークションへの参加を要求するオークション参加端末（１１）と、インターネット経由で前記オークション参加端末を介して、前記情報記憶媒体に基づく認証処理を実行し、インターネット経由で認証結果を提供する認証サーバ（１８）と、インターネット経由で前記オークション参加端末からのオークション参加要求の受信、及びインターネット経由で前記認証サーバからの認証完了を示す認証結果の受信に基づき、前記オークション参加端末によるオークションへの参加を許可するオークション管理サーバ（１４）とを備えている。【選択図】      図１
2006072841.tif 000002
【特許請求の範囲】
【請求項１】
インターネット上でオークションを実行するオークション実行システムであって、
情報記憶媒体との間で情報を送受信する送受信部を有し、インターネット経由でオークションへの参加を要求するオークション参加端末と、
インターネット経由で前記オークション参加端末を介して、前記情報記憶媒体に基づく認証処理を実行し、インターネット経由で認証結果を提供する認証サーバと、
インターネット経由で前記オークション参加端末からのオークション参加要求の受信、及びインターネット経由で前記認証サーバからの認証完了を示す認証結果の受信に基づき、前記オークション参加端末によるオークションへの参加を許可するオークション管理サーバと、
を備えたことを特徴とするオークション実行システム。
【請求項２】
前記オークション管理サーバは、前記認証サーバからの認証完了を示す認証結果の受信に基づき、前記オークション参加端末からのオークションへのユーザ登録を受け付けることを特徴とする請求項１に記載のオークション実行システム。
【請求項３】
前記オークション管理サーバは、前記認証サーバからの認証完了を示す認証結果の受信に基づき、前記オークション参加端末からのオークションにおける取引を受け付けることを特徴とする請求項１に記載のオークション実行システム。
【請求項４】
インターネット上でオークションを実行するオークション実行システムであって、
情報記憶媒体との間で情報を送受信する送受信部を有し、インターネット経由でオークションへの参加を要求するオークション参加端末と、
インターネット経由で前記オークション参加端末を介して、前記情報記憶媒体に基づく認証処理を実行し、認証完了に基づき参加用決済を実行し、インターネット経由で決済結果を提供する決済サーバと、
インターネット経由で前記オークション参加端末からのオークション参加要求の受信、及びインターネット経由で前記決済サーバからの決済完了を示す決済結果の受信に基づき、前記オークション参加端末によるオークションへの参加を許可するオークション管理サーバと、
を備えたことを特徴とするオークション実行システム。
【請求項５】
前記オークション管理サーバは、前記決済サーバからの決済完了を示す決済結果の受信に基づき、前記オークション参加端末からのオークションへのユーザ登録を受け付けることを特徴とする請求項４に記載のオークション実行システム。
【請求項６】
前記オークション管理サーバは、前記決済サーバからの決済完了を示す決済結果の受信に基づき、前記オークション参加端末からのオークションにおける取引を受け付けることを特徴とする請求項４に記載のオークション実行システム。
【請求項７】
前記決済サーバは、オークションにおける取引に対応した決済を前記情報記憶媒体に対して実行することを特徴とする請求項６に記載のオークション実行システム。
【請求項８】
前記参加用決済は、取引金額０円の決済であることを特徴とする請求項４に記載のオークション実行システム。
【請求項９】
オークション管理サーバ及び認証サーバが接続されたインターネット上で実行されるオークションへ参加するためのオークション参加端末であって、
情報記憶媒体との間で情報を送受信する第１の送受信手段と、
インターネット経由で各種情報を送受信する第２の送受信手段と、
前記オークション管理サーバに対してオークションへの参加を要求し、前記認証サーバによる前記情報記憶媒体に基づく認証処理により得られる認証完了を示す認証結果の受信に基づき前記オークション管理サーバが発行するオークションへの参加を許可する制御情報を受信し、オークションへのアクセスを実行するアクセス実行手段と、
を備えたことを特徴とするオークション参加端末。
【請求項１０】
オークション参加端末及び認証サーバが接続されたインターネット上で実行されるオークションを管理するオークション管理サーバであって、
インターネット経由で各種情報を送受信する送受信手段と、
前記オークション参加端末からのオークションへの参加要求の受信、及び前記認証サーバによる前記情報記憶媒体に基づく認証処理により得られる認証完了を示す認証結果の受信に基づき、前記オークション参加端末に対してオークションへの参加を許可する制御情報を発行する発行手段と、
を備えたことを特徴とするオークション管理サーバ。
【請求項１１】
インターネットでオークションを実行するオークション実行方法であって、
情報記憶媒体との間で情報を送受信する送受信部を有するオークション参加端末が、インターネット経由でオークションへの参加を要求し、
認証サーバが、インターネット経由で前記オークション参加端末を介して、前記情報記憶媒体に基づく認証処理を実行し、インターネット経由で認証結果を提供し、
オークション管理サーバが、インターネット経由で前記オークション参加端末からのオークション参加要求の受信、及び前記認証サーバからの認証完了を示す認証結果の受信に基づき、前記オークション参加端末によるオークションへの参加を許可する、
ことを特徴とするオークション実行方法。
【発明の詳細な説明】
【技術分野】
【０００１】
本発明はインターネットなどを利用したEC（Electronic Commerce）の応用分野であるネットオークションに関し、特にネットオークションを実行するオークション実行システムに関する。また、本発明は、ネットオークションへ参加するためのオークション参加端末に関する。また、本発明は、ネットオークションを管理するオークション管理サーバに関する。また、本発明は、ネットオークションを実行するオークション実行方法に関する。
【背景技術】
【０００２】
近年、インターネット上で競売を行なう、いわゆる、ネットオークションを行なうオークションサイトが増えてきている。これに伴い、ネットオークションの実行等に関する様々な技術が提案されている（特許文献１参照）。
【０００３】
ネットオークションでは、オークションサイトが提供しているホームページ上で紹介された商品に対して、オークション参加者が希望購入価格を入力して入札を行なう。入札締め切り期限までに最高値を提示したユーザが落札者として決定され、代金の支払いを条件に、落札した商品を得ることができる。
【特許文献１】特開２００３−６４７１
【発明の開示】
【発明が解決しようとする課題】
【０００４】
しかしながら、ネットオークションに参加する場合、オークションサイトに登録を行なうことになる。この登録には、氏名、年齢、住所などの情報入力が要求される。オークションサイトの主催者は、入力された情報に基づきユーザ登録を完了する。つまり、オークションサイトの主催者側で、登録者の信用度を審査することは難しい。一方の登録者側は、氏名、年齢、住所などのパーソナルな情報をオークションサイトの主催者に開示しなければならず、個人情報漏えいのリスクを払うことになる。
【０００５】
本発明の目的は、上記課題を解決するためになされたものであり、安全且つ信頼性の高いネットオークションを実行可能なオークション実行システムを提供することにある。また、本発明の目的は、安全且つ信頼性の高いネットオークションへ参加することが可能なオークション参加端末を提供することにある。また、本発明の目的は、安全且つ信頼性の高いネットオークションを管理することが可能なオークション管理サーバを提供することにある。また、本発明の目的は、安全且つ信頼性の高いネットオークションを実行可能なオークション実行方法を提供することにある。
【課題を解決するための手段】
【０００６】
この発明のオークション実行システム、オークション参加端末、オークション管理サーバ、及びオークション実行方法は、以下のように構成されている。
【０００７】
（１）本発明は、インターネット上でオークションを実行するオークション実行システムであって、情報記憶媒体との間で情報を送受信する送受信部を有し、インターネット経由でオークションへの参加を要求するオークション参加端末と、インターネット経由で前記オークション参加端末を介して、前記情報記憶媒体に基づく認証処理を実行し、インターネット経由で認証結果を提供する認証サーバと、インターネット経由で前記オークション参加端末からのオークション参加要求の受信、及びインターネット経由で前記認証サーバからの認証完了を示す認証結果の受信に基づき、前記オークション参加端末によるオークションへの参加を許可するオークション管理サーバとを備えたことを特徴とするオークション実行システムである。
【０００８】
（２）本発明は、インターネット上でオークションを実行するオークション実行システムであって、情報記憶媒体との間で情報を送受信する送受信部を有し、インターネット経由でオークションへの参加を要求するオークション参加端末と、インターネット経由で前記オークション参加端末を介して、前記情報記憶媒体に基づく認証処理を実行し、認証完了に基づき参加用決済を実行し、インターネット経由で決済結果を提供する決済サーバと、インターネット経由で前記オークション参加端末からのオークション参加要求の受信、及びインターネット経由で前記決済サーバからの決済完了を示す決済結果の受信に基づき、前記オークション参加端末によるオークションへの参加を許可するオークション管理サーバとを備えたことを特徴とするオークション実行システムである。
【０００９】
（３）本発明は、オークション管理サーバ及び認証サーバが接続されたインターネット上で実行されるオークションへ参加するためのオークション参加端末であって、情報記憶媒体との間で情報を送受信する第１の送受信手段と、インターネット経由で各種情報を送受信する第２の送受信手段と、前記オークション管理サーバに対してオークションへの参加を要求し、前記認証サーバによる前記情報記憶媒体に基づく認証処理により得られる認証完了を示す認証結果の受信に基づき前記オークション管理サーバが発行するオークションへの参加を許可する制御情報を受信し、オークションへのアクセスを実行するアクセス実行手段とを備えたことを特徴とするオークション参加端末である。
【００１０】
（４）本発明は、オークション参加端末及び認証サーバが接続されたインターネット上で実行されるオークションを管理するオークション管理サーバであって、インターネット経由で各種情報を送受信する送受信手段と、前記オークション参加端末からのオークションへの参加要求の受信、及び前記認証サーバによる前記情報記憶媒体に基づく認証処理により得られる認証完了を示す認証結果の受信に基づき、前記オークション参加端末に対してオークションへの参加を許可する制御情報を発行する発行手段とを備えたことを特徴とするオークション管理サーバである。
【００１１】
（５）本発明は、インターネットでオークションを実行するオークション実行方法であって、情報記憶媒体との間で情報を送受信する送受信部を有するオークション参加端末が、インターネット経由でオークションへの参加を要求し、認証サーバが、インターネット経由で前記オークション参加端末を介して、前記情報記憶媒体に基づく認証処理を実行し、インターネット経由で認証結果を提供し、オークション管理サーバが、インターネット経由で前記オークション参加端末からのオークション参加要求の受信、及び前記認証サーバからの認証完了を示す認証結果の受信に基づき、前記オークション参加端末によるオークションへの参加を許可することを特徴とするオークション実行方法である。
【発明の効果】
【００１２】
本発明によれば、安全且つ信頼性の高いネットオークションを実行可能なオークション実行システムを提供できる。また、本発明によれば、安全且つ信頼性の高いネットオークションへ参加することが可能なオークション参加端末を提供できる。また、本発明によれば、安全且つ信頼性の高いネットオークションを管理することが可能なオークション管理サーバを提供できる。また、本発明によれば、安全且つ信頼性の高いネットオークションを実行可能なオークション実行方法を提供できる。
【発明を実施するための最良の形態】
【００１３】
以下、図面を参照し、本発明の実施形態について説明する。
【００１４】
図１は、本発明の一実施の形態に係るネットオークション実行システムの概略を示す図である。
【００１５】
図１に示すように、ネットオークション実行システムは、複数のクライアント端末（オークション参加端末）１１、１２、１３、オークションサイト端末（オークション管理サーバ）１４、及び決済端末（認証サーバ／決済サーバ）１８により構成されている。クライアント端末１１、１２、１３、及びオークションサイト端末１４は、インターネット１０に接続可能な環境に設置されている。決済端末１８は、決済ネットワーク１７に接続可能な環境に設置されている。決済ネットワーク１７は、インターネット１０に接続されたネットワークである。つまり、各種ネットワークを介して、クライアント端末１１、１２、１３、オークションサイト端末１４、及び決済端末１８は互いに接続されており、各種情報交換が可能な構成となっている。
【００１６】
クライアント端末１１は、ネットオークションへのアクセスを実行する制御部１１１、インターネットへの接続プログラム等を記憶する記憶部１１２、及びインターネットを介して各種情報を送受信する通信部１１３、カードリーダライタ１６との接続端子１１４により構成されている。クライアント端末１２、１３も同様の構成となっている。クライアント端末１１、１２、１３は、ネットオークションを介して商品購入を希望する受給者がオークションへ参加するためのオークション参加端末であって、例えばＰＣ（パーソナルコンピュータ）が該当する。
【００１７】
オークションサイト端末１４は、ネットオークションへのアクセスを許可する制御情報を発行する制御部１４１、インターネットへの接続プログラム等を記憶する記憶部１４２、及びインターネットを介して各種情報を送受信する通信部１４３により構成されている。オークションサイト端末１４は、オークションサイト主催者がネットオークションを管理／運営するためのオークション管理サーバである。このオークションサイト端末１４により、ネットオークションを介して各種商品が提供される。
【００１８】
決済端末１８は、認証及び決済を実行する制御部１８１、決済ネットワークへの接続プログラム等を記憶する記憶部１８２、及び決済ネットワークを介して各種情報を送受信する通信部１８３により構成されている。決済端末１８は、ＩＣカード（情報記憶媒体）１５に基づく認証処理を行ない、認証完了に基づきオークション参加用決済やオークションにおける取引（売買契約）に対応した本決済を行ない、インターネットを介して決済結果を提供する決済サーバである。決済端末１８は、例えば、クレジット会社や銀行などが所有する決済ネットワーク１８に接続される決済サーバである。
【００１９】
例えばクライアント端末１１を使用してオークションサイトへ参加する場合、受給者は自己の所有する決済用のＩＣカード１５をクライアント端末１１に接続されたカードリーダライタ１６へ挿入する。クライアント端末１１は、ＣＯＭポートやＰＣスロットなどの接続端子１１４を介してカードリーダライタ１６と接続可能な構成となっている。なお、カードリーダライタ１６は、上記のようなクライアント端末１１に対して外付けのタイプであってもよいし、また上記とは異なるクライアント端末１１に内蔵のタイプであってもよい。ネットオークションへ参加する受給者の正当性の証明にはＩＣカード１５が使用される。このため、クライアント端末１１はネットオークションへ参加する受給者の所有物であってもよいし、他人のものであってもよい。また、クライアント端末１１だけでなく、クライアント端末１２、１３を使用してもよい。
【００２０】
図２は、図１に示すネットオークション実行システムが実行するネットオークションサイトへの参加から取引成立までの流れを説明するためのフローチャートである。
【００２１】
まず、受給者の操作により、ネットオークションに参加するためクライアント端末１１がインターネット１０を介してオークションサイト端末１４へ接続し（Ｆ２０１）、クライアント端末１１がオークションサイト端末１４に対してネットオークションへの参加を要求する（Ｆ２０２）。この参加要求に対応して、オークションサイト端末１４は、受給者の正当性を確認するためにクライアント端末１１へ決済ネットワーク１７を利用した参加用決済を要求する（Ｆ２０３）。
【００２２】
参加用決済の要求に対して、受給者は自身が所有するＩＣカード１５をクライアント端末１１へ接続されているカードリーダライタ１６へ挿入する（Ｆ２０４）。クライアント端末１１は、カードリーダライタ１６にＩＣカード１５が挿入されたことを認識し、インターネット１０及び決済ネットワーク１７を介して決済端末１８へ接続要求を行なう（Ｆ２０５）。クライアント端末１１と決済端末１８の接続が完了した後、決済端末１８は、決済ネットワーク１７、インターネット１０、クライアント端末１１、カードリーダライタ１６を介して、ＩＣカード１５に基づくオークションへの参加用決済処理を実施する（Ｆ２０６）。
【００２３】
この参加用決済処理は、取引金額０円の決済処理である。具体的には、決済端末１８は、ＩＣカード１５に基づく認証処理を実行し、認証完了に基づき参加用決済処理を実行し、決済結果を送信する。これにより、実質的な決済金額を発生させることなく、ＩＣカード１５の所有者の正当性検証（認証処理）のみが実施されることになる。なお、決済端末１８が、認証処理だけを単独で実行することができる場合には、参加用決済処理は行なわない。つまり、決済端末１８は、ＩＣカード１５に基づく認証処理だけを実行し、認証結果を送信する。
【００２４】
決済端末１８は、決済ネットワーク１７を介して参加用決済処理の結果をオークションサイト端末１４へ通知する（Ｆ２０７）。オークションサイト端末１４は、参加用決済処理の成否により、後続処理の選択を行なう（Ｆ２０８）。参加用決済処理が失敗した場合は（Ｆ２０８、ＮＯ）、クライアント端末１１に対して“参加拒否”の通知を行ない（Ｆ２０９）、参加用決済処理が成功した場合は（Ｆ２０８、ＹＥＳ）、“参加容認”の通知を行ない、後続処理を許容する（Ｆ２１０）。具体的には、オークションサイト端末１４は、参加用決済処理の成功に伴いクライアント端末１１に対してオークションへの参加を許可する制御情報を発行する。
【００２５】
クライアント端末１１は、オークションサイト端末１４からのオークションへの参加を許可する制御情報を受信し、オークションサイトへのアクセス（ログイン）を実行する。受給者はネットオークションへの参加容認を確認し、受給者の操作によりクライアント端末１１がオークションサイト端末１４へ参加ＩＤを通知する（Ｆ２１１）。この場合の参加ＩＤは、例えば受給者の名前あるいはハンドルネームである。つまり、参加ＩＤには、受給者の年齢、住所などのその他のパーソナルな情報は含まれていない。
【００２６】
受給者は、参加を容認されたクライアント端末１１を介して、オークションに参加して落札額の提示を行なう。オークションサイト端末１４は、落札額が取引条件と合致するかを確認する（Ｆ２１２）。オークションサイト端末１４は、取引条件が合致しなかった場合にクライアント端末１１に対して“条件不合致”の通知を行ない（Ｆ２１３）、取引条件が合致した場合に“条件合致”の通知を行ない、後続処理を許容する（Ｆ２１４）。
【００２７】
その後、オークションサイト端末１４は、購入代金の請求を行なうためにクライアント端末１１へ決済ネットワーク１７及び決済端末１８を利用した本決済処理を要求する。これに対応して、決済端末１８は、ＩＣカード１５に基づく本決済処理を実行する（Ｆ２１５）。この本決済処理は、上記した参加用決済処理とは異なり、実際に購入する商品の取引金額に基づく決済処理である。
【００２８】
次に決済端末１８は、本決済処理の結果をオークションサイト端末１４へ通知し、オークションサイト端末１４はその成否により、後続処理の選択を行なう（Ｆ２１６）。オークションサイト端末１４は、本決済処理が失敗した場合にはクライアント端末１１に対して“取引不成立”の通知を行ない（Ｆ２１７）、本決済処理が成功した場合は“取引成立”の通知を行なう（Ｆ２１８）。
【００２９】
図３は、図１に示すネットオークション実行システムが実行するネットオークションサイトへの会員登録手続の流れを説明するためのフローチャートである。
【００３０】
まず、受給者の操作により、ネットオークションに会員登録するためクライアント端末１１がインターネット１０を介してオークションサイト端末１４へ接続し（Ｆ３０１）、クライアント端末１１がオークションサイト端末１４に対してネットオークションへの会員登録を要求する（Ｆ３０２）。この会員登録要求に対応して、オークションサイト端末１４は、受給者の正当性を確認するためにクライアント端末１１へ決済ネットワーク１７を利用した会員登録用決済を要求する（Ｆ３０３）。
【００３１】
会員登録用決済の要求に対して、受給者は自身が所有するＩＣカード１５をクライアント端末１１へ接続されているカードリーダライタ１６へ挿入する（Ｆ３０４）。クライアント端末１１は、カードリーダライタ１６にＩＣカード１５が挿入されたことを認識し、インターネット１０及び決済ネットワーク１７を介して決済端末１８へ接続要求を行なう（Ｆ３０５）。クライアント端末１１と決済端末１８の接続が完了した後、決済端末１８は、決済ネットワーク１７、インターネット１０、クライアント端末１１、カードリーダライタ１６を介して、ＩＣカード１５に基づくオークションへの会員登録用決済処理を実施する（Ｆ３０６）。
【００３２】
この会員登録用決済処理は、取引金額０円の決済処理である。具体的には、決済端末１８は、ＩＣカード１５に基づく認証処理を実行し、認証完了に基づき会員登録用決済処理を実行し、決済結果を送信する。これにより、実質的な決済金額を発生させることなく、ＩＣカード１５の所有者の正当性検証（認証処理）のみが実施されることになる。なお、決済端末１８が、認証処理だけを単独で実行することができる場合には、会員登録用決済処理は行なわない。つまり、決済端末１８は、ＩＣカード１５に基づく認証処理だけを実行し、認証結果を送信する。
【００３３】
決済端末１８は、決済ネットワーク１７を介して会員登録用決済処理の結果をオークションサイト端末１４へ通知する（Ｆ３０７）。オークションサイト端末１４は、参加用決済処理の成否により、後続処理の選択を行なう（Ｆ３０８）。会員登録用決済処理が失敗した場合は（Ｆ３０８、ＮＯ）、クライアント端末１１に対して“登録拒否”の通知を行ない（Ｆ３０９）、会員登録用決済処理が成功した場合は（Ｆ３０８、ＹＥＳ）、“登録容認”の通知を行ない、後続処理を許容する（Ｆ３１０）。
【００３４】
受給者はネットオークションへの参加容認を確認し、受給者の操作によりクライアント端末１１がオークションサイト端末１４へ登録ＩＤを通知する（Ｆ３１１）。この場合の登録ＩＤは、例えば受給者の名前あるいはハンドルネームである。つまり、登録ＩＤには、参加者の年齢、住所などのその他のパーソナルな情報は含まれていない。オークションサイト端末１４は、クライアント端末１１（受給者）からの登録ＩＤを記憶部１４２のＩＤデータベースへ登録する（Ｆ３１２）。
【００３５】
図４は、図３に示す会員登録手続の後、受給者の商品落札及び取引成立までの流れを説明するためのフローチャートである。
【００３６】
まず、受給者の操作により、ネットオークションに参加するためのクライアント端末１１がインターネット１０を介してオークションサイト端末１４へ接続し（Ｆ４０１）、クライアント端末１１がオークションサイト端末１４に対して会員登録時に通知した参加ＩＤを提示する（Ｆ４０２）。オークションサイト端末１４は、提示された参加ＩＤと一致するＩＤをＩＤデータベースの中から検索する（Ｆ４０３）。オークションサイト端末１４は、ＩＤデータベース中に一致する登録ＩＤが存在しない場合はクライアント端末１１に対して“未登録”の通知を行ない（Ｆ４０５）、一致する登録ＩＤが存在する場合は“登録済み”の通知を行ない、後続処理を許容する（Ｆ４０６）。
【００３７】
登録済み会員であることが確認された受給者は、クライアント端末１１を介して、オークションに参加して落札額の提示を行なう。オークションサイト端末１４は、落札額が取引条件と合致するかを確認する（Ｆ４０７）。オークションサイト端末１４は、取引条件が合致しなかった場合はクライアント端末１１に対して“条件不合致”の通知を行ない（Ｆ４０８）、取引条件が合致した場合は“条件合致”の通知を行ない、後続処理を許容する（Ｆ４０９）。
【００３８】
その後、オークションサイト端末１４は、購入代金の請求を行なうためにクライアント端末１１へ決済ネットワーク１７及び決済端末１８を利用した本決済処理を要求する（Ｆ４１０）。この本決済処理は、上記した会員登録用決済処理とは異なり、実際に購入する商品の取引金額に基づく決済処理である。
【００３９】
次に決済端末１８は、本決済処理の結果をオークションサイト端末１４へ通知し、オークションサイト端末１４はその成否により、後続処理の選択を行なう（Ｆ４１１）。オークションサイト端末１４は、本決済処理が失敗した場合にはクライアント端末１１に対して“取引不成立”の通知を行ない（Ｆ４１２）、本決済処理が成功した場合は“取引成立”の通知を行なう。（Ｆ４１３）
上記説明したように、本発明のネットオークション実行システムは、サイト主催者および登録者の双方のセキュリティを維持するために、例えばクレジット会社や銀行などの決済機関（第三者決済機関）の認証メカニズム（ＥＭＶ仕様に準拠したオンライン決済）を使用する。これにより登録者の信用度を確保しつつ、個人情報漏えいを防止することができる。
【００４０】
また、決済機関としては、信頼性のある機関であればよく、例えば住民基本台帳ネットワーク等の利用が認められれば、このネットワークを利用した決済であってもよい。
【００４１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４２】
【図１】本発明の一実施の形態に係るネットオークション実行システムの概略を示す図である。
【図２】図１に示すネットオークション実行システムが実行するネットオークションサイトへの参加から取引成立までの流れを説明するためのフローチャートである。
【図３】図１に示すネットオークション実行システムが実行するネットオークションサイトへの会員登録手続の流れを説明するためのフローチャートである。
【図４】図３に示す会員登録手続の後、受給者の商品落札及び取引成立までの流れを説明するためのフローチャートである。
【符号の説明】
【００４３】
１０…インターネット、１１、１２、１３…クライアント端末（オークション参加端末）、１４…オークションサイト端末（オークション管理サーバ）、１５…ＩＣカード、１６…カードリーダライタ、１７…決済ネットワーク、１８…決済端末（認証サーバ／決済サーバ）、１１１…制御部、１１２…記憶部、１１３…通信部、１１４…接続端子、１４１…制御部、１４２…記憶部、１４３…通信部、１８１…制御部、１８２…記憶部、１８３…通信部
【図１】
2006072841.tif 000003
【図２】
2006072841.tif 000004
【図３】
2006072841.tif 000005
【図４】
2006072841.tif 000006